(57)【要約】   本発明は、映像再生機器で再生される映像への没入度を向上させることができる空気調和機を得ることを目的とする。  室内環境が映像再生機器（３００）で再生される擬似環境に近づくように空調制御を行う空気調和機（１００）であって、空気調和機（１００）の運転を操作するリモコン（１０３）と、室内に存在する人の温度および位置を検出するセンサ部（６）と、センサ部（６）で検出された人の体温をリモコン（１０３）により設定された許容温度範囲内に収めながら、映像再生機器（３００）に映し出される映像の環境を模擬する擬似環境情報（３）に基づき室内の環境を映像再生機器（３００で再生される擬似環境に近づくように空調制御を行う制御部（８）とを備える。
2017183136.tif 000002
【特許請求の範囲】
【請求項１】
室内の環境が映像再生機器で再生される擬似環境に近づくように空調制御を行う空気調和機であって、  前記空気調和機の運転を操作するリモコンと、  前記室内に存在する人の温度および位置を検出するセンサ部と、  前記センサ部で検出された人の体温を前記リモコンにより設定された許容温度範囲内に収めながら、前記映像再生機器に映し出される映像の環境を模擬する擬似環境情報に基づき、前記室内の環境を前記映像再生機器で再生される擬似環境に近づくように空調制御を行う制御部と  を備えることを特徴とする空気調和機。
【請求項２】
前記制御部は、前記空気調和機の外部に設置された情報収集ユニットに設定された前記許容温度範囲に基づき、前記室内の環境を前記映像再生機器で再生される擬似環境に近づくように空調制御を行うことを特徴とする請求項１に記載の空気調和機。
【請求項３】
前記情報収集ユニットには複数の前記擬似環境情報が記録され、  前記制御部は、前記空気調和機の外部の操作端末によって複数の前記擬似環境情報から選択された前記擬似環境情報に基づき、前記室内の環境を前記映像再生機器で再生される擬似環境に近づくように空調制御を行うことを特徴とする請求項２に記載の空気調和機。
【発明の詳細な説明】
【技術分野】
【０００１】  本発明は、室内に設置される空気調和機に関する。
【背景技術】
【０００２】  特許文献１に示す従来の空気調和機は、映像再生機器に映し出される映像の環境を模擬する擬似環境情報を受信し、擬似環境情報に含まれる温湿度情報に従って室内の温湿度を制御する。すなわち空気調和機は、室内環境が映像再生機器で再生される擬似環境に近づくように空調制御を行う。擬似環境は、利用者が室内において擬似的に体験できる仮想的な温湿度環境を指す。
【先行技術文献】
【特許文献】
【０００３】
【特許文献１】特開２００４−２８５２９号公報
【発明の概要】
【発明が解決しようとする課題】
【０００４】  しかしながら特許文献１に示す従来の空気調和機は、室内に存在する人の体温を考慮せずに、室内環境が映像再生機器で再生される擬似環境に近づくように空調制御を行うため、室内に存在する人の体温の過度な上昇または低下を引き起こし、人は再生される映像に集中できず映像への没入度が低下するという課題があった。【０００５】  本発明は、上記に鑑みてなされたものであって、映像再生機器で再生される映像への没入度を向上させることができる空気調和機を得ることを目的とする。
【課題を解決するための手段】
【０００６】  上述した課題を解決し、目的を達成するために、本発明に係る空気調和機は、室内環境が映像再生機器で再生される擬似環境に近づくように空調制御を行う空気調和機であって、空気調和機の運転を操作するリモコンと、室内に存在する人の温度および位置を検出するセンサ部と、センサ部で検出された人の体温をリモコンにより設定された許容温度範囲内に収めながら、映像再生機器に映し出される映像の環境を模擬する擬似環境情報に基づき、室内の環境を映像再生機器で再生される擬似環境に近づくように空調制御を行う制御部とを備える。
【発明の効果】
【０００７】  本発明に係る空気調和機は、映像再生機器で再生される映像への没入度を向上させることができるという効果を奏する。
【図面の簡単な説明】
【０００８】
【図１】実施の形態１に係る空気調和機の構成を示す図
【図２】図１に示す室内機の制御部による空気調和機の運転動作を説明するためのフローチャート
【図３】図１に示す制御部に記録される連動運転テーブルの一例を示す図
【図４】実施の形態２に係る空気調和機の構成を示す図
【発明を実施するための形態】
【０００９】  以下に、本発明の実施の形態に係る空気調和機を図面に基づいて詳細に説明する。なお、この実施の形態によりこの発明が限定されるものではない。
【００１０】実施の形態１．  図１は実施の形態１に係る空気調和機の構成を示す図である。実施の形態１に係る空気調和機１００は、室内空間２００に設置される室内機１０１と、室内機１０１に接続される室外機１０２と、空気調和機１００の空調制御を行うため遠隔制御装置であるリモコン１０３とを備える。室内空間２００には室内機１０１およびリモコン１０３以外にも映像再生機器３００が設置される。
【００１１】  リモコン１０３は、室内空間２００に存在する人の体温の許容温度範囲を設定することができる。許容温度範囲とは、人の快適性を評価する評価指標に基づいて規定される快適温度範囲である。許容温度範囲の上限値としては３７℃を例示でき、許容温度範囲の下限値としては３６℃を例示できる。空気調和機１００にはリモコン１０３によって許容温度範囲を設定することができる。本実施の形態に係る空気調和機１００は、映像再生機器３００に映し出される映像の環境を模擬する擬似環境情報３を受信したとき、検出された人の体温をリモコン１０３により設定された許容温度範囲内に収めながら、室内空間２００の環境が映像再生機器３００で再生される擬似環境に近づくように被制御機器を統合的に制御する点に特徴がある。被制御機器は、室内機１０１および室外機１０２に搭載されるファンモータ、風向板、圧縮機およびプロペラファンといった各種機器である。図１ではこれらの被制御機器の図示を省略している。
【００１２】  映像再生機器３００は映像データ１に含まれる映像コンテンツを再生する機器である。映像再生機器３００としては、テレビ受像機、ＤＶＤ（Ｄｉｇｉｔａｌ  Ｖｉｄｅｏ  Ｄｉｓｃ）プレイヤー、Ｂｌｕ−ｒａｙ（登録商標）Ｄｉｓｃプレイヤー、家庭用ゲーム機器、パソコン、タブレット端末およびスマートフォンを例示できる。映像データ１は、映像再生機器３００がテレビ受像機である場合には放送波に含まれる映像コンテンツに関するデータであり、映像再生機器３００がＤＶＤプレイヤーである場合にはＤＶＤに書き込まれた映像コンテンツに関するデータであり、映像再生機器３００が家庭用ゲーム機器である場合にはゲームソフトとして利用される記憶手段に書き込まれた映像に関するデータである。本実施の形態では、これらの映像コンテンツに関するデータである映像データ１に、擬似環境情報３が含まれているものとする。擬似環境情報３には温度、湿度および風量の少なくとも１つの調整量を表す擬似環境コードが含まれる。擬似環境コードの詳細は後述する。以下では、映像再生機器３００が放送波を受信するテレビ受像機であると仮定して説明する。
【００１３】  図１では映像再生機器３００がテレビ受像機であると仮定し、映像再生機器３００は放送波に含まれる映像データ１に基づき映像コンテンツを再生する。映像再生機器３００は、映像データ１を受信する受信部２と、映像データ１に含まれる擬似環境情報３を室内機１０１へ送信する送信部４とを備える。
【００１４】  室内機１０１は、映像再生機器３００の送信部４から送信された擬似環境情報３を受信する受信部５と、室内空間２００に存在する人の体温および位置を検出するためのセンサ部６と、リモコン１０３から送信される信号を受信する赤外線受光部７と、制御部８と、表示部９と、報知部１０とを備える。映像再生機器３００の送信部４と室内機１０１の受信部５とは、有線または無線の通信回線２０で接続される。
【００１５】  センサ部６としては赤外線センサを例示できる。センサ部６は室内空間２００に存在する人の遠赤外線を検出し、室内空間２００における人の熱画像を解析することにより、室内空間２００内に存在する人の体温と室内空間２００における人の位置とを検出し、人の体温および位置を示す検出情報を出力する。なお本実施の形態では人の体温および位置を検出する手段として、赤外線センサであるセンサ部６を用いた例を説明しているが、室内機１０１は、赤外線センサとイメージセンサとを組み合わせたセンサ部を用いて、室内空間２００内に存在する人の体温および位置を検出するように構成してもよい。この場合、イメージセンサは室内画像を撮影し、室内画像から室内空間２００における人の相対的な位置を推定して位置情報として出力する。また赤外線センサは室内空間２００に存在する人の体温を検出する。
【００１６】  制御部８は、映像再生機器３００から送信される擬似環境情報３を受信していない場合には、リモコン１０３で設定された設定内容に従った空調運転を行うように被制御機器を統合的に制御する。また制御部８は、擬似環境情報３を受信した場合にはセンサ部６で検出された人の体温をリモコン１０３で設定された許容温度範囲内に収めながら、室内空間２００の環境が映像再生機器３００で再生される擬似環境に近づくように被制御機器を統合的に制御する。
【００１７】  以下では、通常の空調制御による運転、すなわち映像再生機器３００で再生される擬似環境に連動していない空調制御による運転を通常運転と称する。また映像再生機器３００で再生される擬似環境に連動した空調制御による運転を連動運転と称する。
【００１８】  表示部９としては、ＬＥＤ（Ｌｉｇｈｔ  Ｅｍｉｔｔｉｎｇ  Ｄｉｏｄｅ）、または多数のサブ画素を格子状に配列したドットマトリクスによる液晶パネルを例示できる。報知部１０としては音または音声を出力可能なスピーカーを例示できる。表示部９および報知部１０の機能の詳細は後述する。
【００１９】  以下、空気調和機１００の動作を説明する。
【００２０】  図２は図１に示す室内機の制御部による空気調和機の運転動作を説明するためのフローチャートである。空気調和機１００が待機状態にあるとき、リモコン１０３において空気調和機１００の運転を開始する操作が行われることにより、リモコン１０３で生成された運転開始信号が赤外線受光部７を介して制御部８で受信される。運転開始信号を受信した制御部８は空気調和機１００の通常運転を開始する（Ｓ１）。
【００２１】  通常運転では、室内機１０１内の温度センサで検出された温度と室内機１０１内の湿度センサで検出された湿度とが、リモコン１０３で設定された温度および湿度に近づくように空調運転が行われる。具体的には、制御部８は室内機１０１に搭載されるコンバータ回路およびインバータ回路を制御することにより、商用電源から供給される交流電力がコンバータ回路で直流電力に変換され、変換された直流電力がインバータ回路によって交流電力に変換され、室内機１０１の送風機へ供給される。送風機のファンモータが回転することにより室内空間２００に送風が行われる。また室内機１０１の制御部８は室外機１０２に対して運転指令が送信し、運転指令を受信した室外機１０２は圧縮機の回転数を制御する。圧縮機が運転を開始することによって、冷凍回路を構成する熱交換器に冷媒が循環し、熱交換器の周囲の空気と冷媒との間で熱交換が行われる。このとき室外機１０２ではファンモータの回転制御が行われ、ファンモータに取り付けられたプロペラファンが回転することにより負圧が発生し、室外機の外部から室内機の内部に空気が取り込まれる。このとき生じる風が熱交換器を通流することによって熱交換が促される。
【００２２】  通常運転を開始した制御部８は、リモコン１０３から出力された連動運転開始信号を赤外線受光部７を介して受信すると、映像再生機器３００に対して擬似環境情報３の送信を要求する。擬似環境情報３の送信を要求してから一定時間が経過するまでに擬似環境情報３を受信していない場合（Ｓ２，Ｎｏ）、制御部８はＳ１の処理を繰り返す。
【００２３】  Ｓ２において制御部８は、擬似環境情報３の送信を要求してから一定時間が経過するまでに擬似環境情報３を受信した場合（Ｓ２，Ｙｅｓ）、センサ部６から出力される人の体温および位置を示す検出情報を取り込み、センサ部６で検出された人の体温を、リモコン１０３で設定された許容温度範囲内に収めながら、室内空間２００の環境が映像再生機器３００で再生される擬似環境に近づくように空調制御を行う。このように室内空間２００の環境が映像再生機器３００で再生される擬似環境に近づくように温度、湿度および風量の少なくとも１つを調整する空調制御を第１の連動運転と称する（Ｓ３）。
【００２４】  第１の連動運転を開始した後、センサ部６で検出された人の体温が許容温度範囲内に収まっており（Ｓ４，Ｙｅｓ）、さらに連動運転の停止を示す連動運転停止信号を受信していない場合（Ｓ５，Ｎｏ）、制御部８はＳ３の処理を繰り返す。
【００２５】  なお連動運転を停止させる方法としては以下のような方法がある。（１）第１の方法としてはリモコン１０３を操作して連動運転を停止させる方法である。第１の方法では、リモコン１０３において停止操作が行われると、連動運転停止信号がリモコン１０３から出力され、連動運転停止信号は赤外線受光部７を介して制御部８に入力される。連動運転停止信号を受信した制御部８は、連動運転を停止させて通常運転を行うように被制御機器を統合的に制御する。（２）第２の方法としては、映像再生機器３００の主電源を落とし、または映像再生機器３００の通信停止操作を行うことにより、送信部４から連動運転停止信号が送信され、連動運転停止信号が受信部５を介して制御部８で受信される。連動運転停止信号を受信した制御部８は、連動運転を停止させて通常運転を行うように被制御機器を統合的に制御する。
【００２６】  Ｓ４において、センサ部６で検出された人の体温が許容温度範囲内に収まっていない場合（Ｓ４，Ｎｏ）、すなわち人の体温が許容温度範囲の上限値を超えたとき、または人の体温が許容温度範囲の下限値を下回ったとき、体温の過度な上昇または低下により、人は映像再生機器３００に再生される映像に集中できず、映像への没入度が低下する可能性がある。このとき制御部８は人の体温を許容温度範囲内に収めるような連動運転を行う。このように第１の連動運転の結果、人の体温が許容温度範囲内に収まっていないときに行われる連動運転を第２の連動運転と称する（Ｓ６）。第２の連動運転の後、制御部８はＳ４の処理を繰り返す。
【００２７】  第２の連動運転としては、室内空間２００の環境が映像再生機器３００で再生される擬似環境に近づくようにしながら、温度、湿度および風量の少なくとも１つの調整量を、第１の連動運転のときに行われる温度、湿度および風量の少なくとも１つの調整量よりも小さくすることを例示できる。また第２の連動運転としては、室内空間２００の環境が映像再生機器３００で再生される擬似環境に近づくようにしながら、第１の連動運転を一定時間停止させ、停止中においては前述した通常運転を行うことを例示できる。
【００２８】  また第２の連動運転を実行する期間としては、センサ部６で検出された人の体温が許容温度範囲の上限値を超えた場合、当該上限値を超えた時点から当該上限値を下回るまでの期間を例示できる。また第２の連動運転を実行する期間としては、センサ部６で検出された人の体温が許容温度範囲の下限値を下回った場合、当該下限値を下回った時点から当該下限値を上回るまでの期間を例示できる。
【００２９】  Ｓ５において連動運転停止信号を受信し（Ｓ５，Ｙｅｓ）、さらにリモコン１０３から送信される運転停止信号を受信していない場合（Ｓ７，Ｎｏ）、制御部８はＳ１の処理を繰り返す。運転停止信号は空気調和機１００の空調運転を停止させるための信号である。Ｓ７において運転停止信号を受信した場合（Ｓ７，Ｎｏ）、制御部８は空気調和機１００の通常運転を停止して処理を終了する。
【００３０】  以下に連動運転の具体例を説明する。
【００３１】  図３は図１に示す制御部に記録される連動運転テーブルの一例を示す図である。図３に示す連動運転テーブル４００は制御部８に記録されており、映像再生機器で再生される擬似環境の種類を示す複数の擬似環境コード４０１と、擬似環境コード４０１に対応した複数の制御量情報４０２とが対応付けられている。
【００３２】  前述したように擬似環境情報３には擬似環境コード４０１が含まれ、擬似環境コード４０１は、映像再生機器で再生される擬似環境の種類を識別するコードである。制御量情報４０２は、擬似環境コード４０１に対応した温度、湿度および風量のそれぞれの調整量を示す情報である。
【００３３】  以下、擬似環境コード４０１および制御量情報４０２の具体例を説明する。コード「００１」の擬似環境コード４０１は日中の砂漠の映像に対応する。コード「００１」に対応する制御量情報４０２には、室内空間２００の温度を設定温度に対して＋Ｘ℃とする温度情報と、室内空間２００の湿度を設定湿度に対して−Ｙ％とする湿度情報と、室内機１０１から吹き出される風量を設定風量に対して＋Ｚｍ３／ｈとする風量情報とが対応付けられている。
【００３４】  コード「００２」の擬似環境コード４０１は吹雪の雪山の映像に対応するコードである。コード「００２」に対応する制御量情報４０２には、室内空間２００の温度を設定温度に対して−Ｘ℃とする温度情報と、室内空間２００の湿度を設定湿度に対して−Ｙ％とする湿度情報と、室内機１０１から吹き出される風量を設定風量に対して＋Ｚｍ３／ｈとする風量情報とが対応付けられている。
【００３５】  コード「００３」の擬似環境コード４０１は台風に襲われた街の映像に対応するコードである。コード「００３」に対応する制御量情報４０２には、室内空間２００の温度を設定温度に対して−Ｘ℃とする温度情報と、室内空間２００の湿度を設定湿度に対して＋Ｙ％とする湿度情報と、室内機１０１から吹き出される風量を設定風量に対して＋Ｚｍ３／ｈとする風量情報とが対応付けられている。
【００３６】  制御部８は、図３に示す各コードに対応する制御量情報４０２に示される調整量に従い、室内機１０１および室外機１０２に搭載される被制御機器を統合的に制御する。すなわち、コード「００１」を含む擬似環境情報３を受信した制御部８は、室内温度を設定温度に対して＋Ｘ℃高め、室内湿度を設定湿度に対して−Ｙ％低下させ、風量を設定風量に対して＋Ｚｍ３／ｈ増加させるように第１の連動運転を行う。これにより映像再生機器３００に映し出される日中の砂漠の映像に近い環境を模擬することができる。
【００３７】  コード「００１」を含む擬似環境情報３により第１の連動運転を行った結果、センサ部６で検出された人の体温が許容温度範囲の上限値を超えた場合、制御部８は、センサ部６で検出された人の体温を許容温度範囲内に収めるような第２の連動運転を行う。このときの第２の連動運転としては、コード「００１」に対応する制御量情報４０２の温度＋Ｘ℃を温度＋Ｘ℃よりも低い温度に変換し、変換後の温度を設定温度に加算して空調運転を行うことを例示できる。また、このときの第２の連動運転としては、コード「００１」に対応する制御量情報４０２の風量＋Ｚｍ３／ｈを、風量＋Ｚｍ３／ｈよりも低い風量に変換し、変換後の風量を設定風量に加算して空調運転を行うことを例示できる。
【００３８】  同様に、コード「００３」を含む擬似環境情報３を受信した制御部８は、室内温度を設定温度に対して−Ｘ℃低下させ、室内湿度を設定湿度に対して＋Ｙ％高め、さらに風量を設定風量に対して＋Ｚｍ３／ｈ増加させるように第１の連動運転を行う。これにより映像再生機器３００に映し出される台風に襲われた街の映像に近い環境を模擬することができる。
【００３９】  また本実施の形態に係る空気調和機１００は、第１の連動運転または第２の連動運転中においては連動運転中であることを通知するように構成してもよい。通知方法としては、制御部８は、連動運転中における表示部９を通常運転中における表示部９の表示方法とは異なる態様で表示する方法を例示できる。具体的には制御部８は通常運転時には表示部９を点灯させ、連動運転中には表示部９を点滅させる。また連動運転中であることを音で報知する方法でもよい。この場合、制御部８は連動運転中であることを示す音または音声ガイダンスを報知部１０に再生させる。このように構成することにより、ユーザは連動運転中であることを知ることができ、映像コンテンツへの没入度の低下を抑制できる。
【００４０】  以上に説明したように実施の形態１に係る空気調和機１００によれば、センサ部６を用いて室内空間２００に存在する人の体温を検出して、人の体温の過度な上昇または低下を抑制しながら映像再生機器３００に映し出される映像の環境を模擬することができる。これにより室内空間２００に存在する人は映像再生機器３００に映し出される映像に集中でき、映像への没入度が低下することを防止できる。
【００４１】実施の形態２．  図４は実施の形態２に係る空気調和機の構成を示す図である。実施の形態１と実施の形態２の相違点は以下の通りである。（１）実施の形態１では映像再生機器３００と室内機１０１とが通信回線２０を介して相互に接続されているが、実施の形態２ではＨＥＭＳ（Ｈｏｍｅ  Ｅｎｅｒｇｙ  Ｍａｎａｇｅｍｅｎｔ  Ｓｙｓｔｅｍ）用の情報収集ユニット５００が用いられ、映像再生機器３００と室内機１０１とは情報収集ユニット５００を介して相互に接続されている。（２）実施の形態２では、リモコン１０３だけでなく、情報収集ユニット５００に接続された操作端末６００によっても空気調和機１００の空調運転を操作できる。
【００４２】  情報収集ユニット５００は、制御部１１と、映像再生機器３００から送信される擬似環境情報３を受信すると共に操作端末６００から送信される情報を受信する受信部１２と、送信部１３とを備える。
【００４３】  受信部１２は、映像再生機器３００の送信部４と有線または無線の通信回線２１で接続される。また受信部１２は操作端末６００と有線または無線の通信回線で接続される。
【００４４】  送信部１３は、室内機１０１の受信部５と有線または無線の通信回線２２で接続される。送信部１３は、受信部１２で受信された情報と制御部１１から出力される情報とを室内機１０１へ送信する。
【００４５】  操作端末６００は情報収集ユニット５００を操作可能な端末である。操作端末６００は、情報収集ユニット５００を操作するための専用端末でもよいし、情報収集ユニット５００を操作するためのアプリケーションソフトウェアが組み込まれた携帯電話またはタブレット端末でもよい。
【００４６】  実施の形態２に係る空気調和機１００は、リモコン１０３の操作で連動運転を開始できると共に、操作端末６００の操作で連動運転を開始できる。以下に実施の形態２の動作を説明する。
【００４７】  空気調和機１００が待機状態にあるときに操作端末６００において空気調和機１００の運転を開始する操作が行われると、操作端末６００で生成された運転開始信号は受信部１２および送信部１３を介して制御部８で受信される。運転開始信号を受信した制御部８は空気調和機１００の通常運転を開始する。
【００４８】  通常運転を開始した後の制御部８は、操作端末６００から出力された連動運転開始信号を受信部１２および送信部１３を介して受信したとき、映像再生機器３００に対して擬似環境情報３の送信を要求する。映像再生機器３００から出力される擬似環境情報３は、受信部１２、送信部１３および受信部５を介して、制御部８で受信される。擬似環境情報３を受信した制御部８は連動運転を開始する。連動運転は実施の形態１と同様である。
【００４９】  実施の形態２では、情報収集ユニット５００の制御部１１に、複数の人のそれぞれの許容温度範囲情報を保存することができる。許容温度範囲情報としては、成人男性の許容温度範囲情報の上限値を３８℃とし、成人男性の許容温度範囲情報の下限値を３５℃とする。また成人女性の許容温度範囲情報の上限値を３７℃とし、成人女性の許容温度範囲情報の下限値を３６℃とする。このように制御部１１には個別の許容温度範囲情報が記録されている。なお制御部１１には、成人男性および成人女性以外にも、子供または老人といった人の許容温度範囲情報も個別に記録することができる。
【００５０】  操作端末６００では複数の人のそれぞれに対応した連動運転時の許容温度範囲を設定することができる。操作端末６００で成人男性の許容温度範囲が設定された場合、当該許容温度範囲を示す信号が制御部８で受信される。制御部８は、当該許容温度範囲に対応する許容温度範囲情報を制御部１１から読み出し、センサ部６で検出された人の体温が読み出した許容温度範囲内に収まるように連動運転を行う。なお操作端末６００で成人女性の許容温度範囲が設定された場合、制御部８は、当該許容温度範囲に対応する許容温度範囲情報を制御部１１から読み出し、上記同様の連動運転を行う。このように制御部８は空気調和機１００の外部に設置された情報収集ユニット５００に設定された許容温度範囲に基づき、室内の環境を映像再生機器３００で再生される擬似環境に近づくように空調制御を行うことにより、許容温度範囲が異なるそれぞれの人に対応した連動運転を実現でき、実施の形態１の効果に加えて、より快適な空調空間を提供することができる。
【００５１】  なお連動運転中に操作端末６００を操作することにより、情報収集ユニット５００の制御部１１に複数の擬似環境情報３を保存することができる。そして操作端末６００では、制御部１１に保存された複数の擬似環境情報３の中から、任意の擬似環境情報３を選択することができる。操作端末６００で擬似環境情報３が選択された後にリモコン１０３の運転開始操作が行われると、操作端末６００で選択された擬似環境情報３に対応する情報が制御部１１より読み出されて制御部８に転送される。その結果、制御部８では、操作端末６００で選択された擬似環境情報３に基づき連動運転が行われる。このように構成することにより、映像再生機器３００に映像コンテンツが表示されていないときでも、情報収集ユニット５００に保存された擬似環境情報３を用いて連動運転を行うことができる。従って実施の形態２では、実施の形態１の効果に加えて、映像再生機器３００における消費電力を抑えることができる。
【００５２】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５３】  １  映像データ、２，５，１２  受信部、３  擬似環境情報、４，１３  送信部、６  センサ部、７  赤外線受光部、８，１１  制御部、９  表示部、１０  報知部、２０，２１，２２  通信回線、１００  空気調和機、１０１  室内機、１０２  室外機、１０３  リモコン、２００  室内空間、３００  映像再生機器、４００  連動運転テーブル、４０１  擬似環境コード、４０２  制御量情報、５００  情報収集ユニット、６００  操作端末。
【図１】
2017183136.tif 000003
【図２】
2017183136.tif 000004
【図３】
2017183136.tif 000005
【図４】
2017183136.tif 000006
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
室内の環境が映像再生機器で再生される擬似環境に近づくように空調制御を行う空気調和機であって、
前記空気調和機の運転を操作するリモコンと、
前記室内に存在する人の体温および位置を検出するセンサ部と、
前記センサ部で検出された人の体温を前記リモコンにより設定された許容温度範囲内に収めながら、前記映像再生機器に映し出される映像の環境を模擬する擬似環境情報に基づき、前記室内の環境が前記映像再生機器で再生される擬似環境に近づくように空調制御を行う制御部と
を備え、
前記制御部には、前記映像再生機器で再生される擬似環境の種類を示す擬似環境コードと、前記擬似環境コードに対応した温度、湿度および風量の内の少なくとも１つの制御量とが対応付けられたテーブルが記録され、
前記制御部は、前記テーブルの前記擬似環境コードに対応した前記制御量で前記空調制御を行うことを特徴とする空気調和機。
【請求項２】
前記制御部は、前記空気調和機の外部に設置された情報収集ユニットに設定された前記許容温度範囲に基づき、前記室内の環境が前記映像再生機器で再生される擬似環境に近づくように空調制御を行うことを特徴とする請求項１に記載の空気調和機。
【請求項３】
前記情報収集ユニットには複数の前記擬似環境情報が記録され、
前記制御部は、前記空気調和機の外部の操作端末によって複数の前記擬似環境情報から選択された前記擬似環境情報に基づき、前記室内の環境が前記映像再生機器で再生される擬似環境に近づくように空調制御を行うことを特徴とする請求項２に記載の空気調和機。
【手続補正２】
【補正対象書類名】明細書
【補正対象項目名】０００６
【補正方法】変更
【補正の内容】
【０００６】
上述した課題を解決し、目的を達成するために、本発明に係る空気調和機は、室内の環境が映像再生機器で再生される擬似環境に近づくように空調制御を行う空気調和機であって、空気調和機の運転を操作するリモコンと、室内に存在する人の体温および位置を検出するセンサ部と、センサ部で検出された人の体温をリモコンにより設定された許容温度範囲内に収めながら、映像再生機器に映し出される映像の環境を模擬する擬似環境情報に基づき、室内の環境が映像再生機器で再生される擬似環境に近づくように空調制御を行う制御部とを備え、制御部には、映像再生機器で再生される擬似環境の種類を示す擬似環境コードと、擬似環境コードに対応した温度、湿度および風量の少なくとも１つの制御量とが対応付けられたテーブルが記録され、制御部は、テーブルの擬似環境コードに対応した制御量で空調制御を行う。
【国際調査報告】
2017183136.tif 000007
2017183136.tif 000008
2017183136.tif 000009
2017183136.tif 000010